(57)【要約】【課題】ラベル用紙の交換操作を装置前面から行うことができ、且つ、プリンタの大きさに依存せず所望の大きさの操作画面（表示操作部）を採用することが可能な計量印字装置を提供する。【解決手段】ロードセル４の上方に計量皿７が配置された計量部Ａ１と、その計量部による計量値などの所定事項を印字する印字部Ａ２とを備えた計量印字装置であって、前記印字部Ａ２は装置の略中央に配置し、装置の前面には表示操作部Ａ３を配置し、その表示操作部Ａ３を開放した時、前記印字部Ａ２が用紙の交換を可能に露出する。【選択図】  図２
2004255816.tif 000002
【特許請求の範囲】
【請求項１】
ロードセルの上方に計量皿が配置された計量部と、その計量部による計量値などの所定事項を印字する印字部とを備えた計量印字装置であって、
前記印字部は装置の略中央に配置し、装置の前面には表示操作部を配置し、その表示操作部を開放した時、前記印字部が用紙の交換を可能に露出することを特徴とする計量印字装置。
【請求項２】
前記表示操作部の開放は、装置の幅方向の一側を回動中心として回動することを特徴とする請求項１記載の計量印字装置。
【請求項３】
前記表示操作部の開放は、該表示操作部と一緒に前記印字部を一体に開放することを特徴とする請求項１又は２記載の計量印字装置。
【請求項４】
前記印字部は、ラベル用紙のセット軸及び台紙巻取り軸を備えたカセットが着脱自在に装着されていることを特徴とする請求項１乃至３の何れか１項記載の計量印字装置。
【請求項５】
ロードセルの上方に計量皿が配置された計量部と、その計量部による計量値などの所定事項を印字する印字部とを備えた計量印字装置であって、
前記ロードセルは装置の左右側部に配置し、その左右のロードセルの間に前記印字部を配置し、装置の前面部を開放した時、前記印字部が露出され、用紙の交換を可能としたことを特徴とする計量印字装置。
【請求項６】
前記装置前面部の開放は、装置の幅方向の一側を回動中心として回動することを特徴とする請求項５記載の計量印字装置。
【請求項７】
装置前面部に表示操作部が設けられ、装置前面部が開放された時、該表示操作部と前記印字部が一体となって開放されることを特徴とする請求項５又は６記載の計量印字装置。
【発明の詳細な説明】
【０００１】
【発明の属する技術分野】
本発明は、スーパーマーケットや商店等に設置され、商品の重量を計量し、計量値を含む所定事項をラベルに印字する計量印字装置に関する。
【０００２】
【従来の技術】
スーパーマーケット等で、肉や惣菜等の商品を計り売りする対面販売では、商品の重量を計量し、その計量値に基づいて正味重量や価格等のデータをラベルに印字して発行する計量印字装置が使用されている。
そして、計量値を含む所定事項が印字されるラベル用紙は、台紙に所定のピッチをおいて剥離可能に貼付されたロール形態をなし、そのラベル用紙は当然のことながら交換する必要がある。
このラベル用紙の交換を、装置前面（オペレータと対向する面）から行うことが出来るようにした計量プリンタは既に知られている（例えば、特許文献１参照）。
【０００３】
【特許文献１】
特開２０００−２４７５０２号公報
【０００４】
しかしながら、特許文献１に記載の計量プリンタでは、装置前面からラベル用紙の交換操作を行うことはできるものの、装置前面には、テンキーとタッチ式の呼出しキーや各種ファンクションキーを内装する液晶ディスプレーを配設した操作面と、ラベル発行口を前面に設けたラベルプリンタが並設されているため、該ラベルプリンタの横幅分だけ前記操作面の幅が小さくなってしまう。即ち、操作面に配置される液晶ディスプレーの画面幅が小さくなってしまう。つまり、液晶ディスプレーの画面が小さいということはディスプレーに表示される表示内容が見づらくなり、画面上に表示できる事項や呼出しキー等の設定できるキーの数も限られるという問題が生じていた。
また、上記のようなラベル発行口と液晶ディスプレー画面が並設されているような装置で液晶ディスプレー画面を大きくすると、必然的に装置全体が大きくなってしまうという問題も生じていた。
【０００５】
又、従来のラベルプリンタでは印字部と計量部との両方を有し、該計量部の構成部品の一つであるロードセルが装置中央部に配置されており、装置の一側部にラベルプリンタである印字部が配置されている。
そして、前記ロードセルに掛かる荷重を均一にする為に、例え装置内部に設ける部材などがなくても、ロードセルの中心からラベルプリンタが配置されている端部までの長さ分を、該ロードセルの中心から装置の他側端部（ラベルプリンタが配置された側と反対側の端部）までの寸法として設ける必要があり、結果的に装置が大きくなるという問題を生じていた。
【０００６】
【発明が解決しようとする課題】
本発明は、上記した従来の技術が有する問題点に鑑みてなされたもので、その目的とするところは、ラベル用紙の交換操作を装置前面から行うことができ、且つ、プリンタの大きさに依存せず所望の大きさの操作画面（表示操作部）を採用することが可能な計量印字装置を提供することにある。
又、他の目的は、ラベル用紙の交換操作を装置前面から行うことができ、且つ、小型化された計量印字装置を提供することにある。
【０００７】
【課題を解決するための手段】
上記目的を達成する為に本発明が講じた技術的手段は、ロードセルの上方に計量皿が配置された計量部と、その計量部による計量値などの所定事項を印字する印字部とを備えた計量印字装置であって、前記印字部は装置の略中央に配置し、装置の前面には表示操作部を配置し、その表示操作部を開放した時、前記印字部が用紙の交換を可能に露出するようにした（請求項１）。
表示操作部を開放した時とは、表示操作部を通常に使用する位置以外の位置に移動した場合を意味し、例えば、表示操作部が固着された装置前面の扉を開けた場合である。
上記構成により、表示操作部は印字部の大きさに左右されることなく、所望の大きさの表示操作部を設けることができる。そして、装置前面（表示操作部）を開放すると、装置内に収容配置した印字部が露出されるので、該印字部に装着されているラベル用紙の交換を、装置前面から容易に行うことができる。
【０００８】
上記表示操作部の開放は、例えば、装置の幅方向の一側を回動中心として開閉回動するように構成する（請求項２）。この場合は、表示操作部の一側部が装置側にヒンジ構造等で回動可能に軸支されている為、該表示操作部に接続されたコード類を必要以上に伸ばす必要がなく、しかも、開閉回動しても前記コード類に無用な外力（張力）が作用せず、コード類の損傷を防止できる。
又、表示操作部は一側を回動中心として回動することで、反対側に回動角度に伴う開口部が現出され、装置手前に引き出すタイプと比べ、ラベル用紙の交換に要する装置前部のスペースが少なくて済むことになる。
【０００９】
更に、前記表示操作部の開放は、該表示操作部と一緒に前記印字部を一体に開放するように構成してもよい（請求項３）。その場合は、表示操作部を開放する操作によって印字部を装置手前側に露出でき、ラベル用紙の交換操作を容易に行うことができる。
【００１０】
また、前記印字部は、ラベル用紙のセット軸及び台紙巻取り軸を備えたカセットを着脱自在に装着してもよい（請求項４）。この構成により、ラベル用紙の交換を、カセットの着脱で容易に行うことができる。例えば、予め別のカセットに予備のラベル用紙を充填して用意することで、カセットの交換操作でラベル用紙の交換を瞬時に行うことが可能となる。
【００１１】
更にまた、計量部を構成するロードセルを装置の左右側部に配置し、その左右のロードセルの間に前記印字部を配置し、装置の前面部を開放した時、前記印字部が露出され、用紙の交換が可能になるようにしてもよい（請求項５）。その場合は、装置内の空間を有効に活用することができるため、装置を小型化することができる。
【００１２】
上記前面部の開放は、例えば、装置の幅方向の一側を回動中心として開閉回動するように構成する（請求項６）。その場合、前面部は一側を回動中心として回動することで、反対側に回動角度に伴う開口部が現出され、前面部を装置手前に引き出すタイプと比べ、ラベル用紙の交換に要する装置前部のスペースが少なくて済むことになる。
【００１３】
又、上記の装置前面部に表示操作部を設け、装置前面部を開放した時、該表示操作部と前記印字部が一体となって開放されるように構成してもよい（請求項７）。その場合は、表示操作部を開放する操作によって印字部を装置手前側に露出でき、ラベル用紙の交換操作を容易に行うことができる。
【００１４】
【発明の実施の形態】
以下、本発明の実施の形態の一例を図面に基づいて説明する。
図１は、計量印字装置Ａの全体を示す外観図で、ケース１内に計量部Ａ１と印字部Ａ２を備え、ケース１の手前側外部に表示操作部Ａ３が一体に設けられ、更にその表示操作部Ａ３が配置された側と反対側には計量内容及び販売価格等を顧客へ提示する客用表示部Ａ４が配置されている。
【００１５】
上記ケース１は、合成樹脂材及び金属材を用いて平面略矩形状で、手前側の周壁と上面が開放した箱形のケース本体１ａと、手前側の開放部に開閉可能に取り付けた前面部１ｂとで構成されている。
前記前面部１ｂは、幅方向の一側（図面では左側）をケース本体１ａに対してピン２で回動可能に軸支し、他端はケース本体１ａにマグネット３で係脱可能に係止されている。そして、この開閉回動する前面部１ｂの内側に印字部Ａ２が取り付けられ、前面部１ｂの外側には表示操作部Ａ３が一体的に取り付けられており、前面部１ｂのピン２による軸支部と反対側の側部には、内蔵する印字部Ａ２で印字され発行されるラベルＬの発行口２６が形成されている。尚、開閉自在な前面部１ｂの係止手段は、マグネット３を用いた吸着構造に限らず、他の機械的な係止構造など何れでもよい。
【００１６】
上記の如く構成したケース１の内部には、計量部Ａ１を構成するロードセル４が本体の四隅である左右の上下に１個ずつ、合計４個設置され、その合計４個のロードセル４で区画された内側の上半部２は前記ロードセル４から出力されるアナログ信号をデジタル信号に変換するＡ／Ｄ変換器５が収容設置され、その側方には電源装置６、ノイズフィルター（図示省略）等が設置されている。そして、前記４個のロードセル４の上に亘ってケース１の平面形状と略同じ大きさをした計量皿７が載置されるように構成されている。つまり、各ロードセルの支点側は装置本体と連結され、作用点側は計量皿７を支持する。尚、上記各部材はケース本体１ａに形成された仕切壁で区画された空間部に収容されている。
又、ケース１内における手前側の下半部の空間部には、印字部Ａ２の構成部材が収容配置されている。
【００１７】
印字部Ａ２は、プラテンローラ８、台紙巻取り軸９、前記プラテンローラ８及び台紙巻取り軸９を駆動する為のステッピングモータ１０、サーマルヘッド１１、ディスペンサー１２、及びロール状のラベル用紙３２をセットするためのセット軸１３などを備えた今日周知の構造のもので、そのうちステッピングモータ１０及び該モータ１０の回転をプラテンローラ８及び台紙巻取り軸９に伝達する動力伝達機構１４は、前面部１ｂの裏側下端に内方に向けて水平に固着した支持台板１５上に設置し、サーマルヘッド１１は前面部１ｂの裏側に取り付け、その他のプラテンローラ８，台紙巻取り軸９，ディスペンサー１２，セット軸１３は前記支持台板１５に対してスライド方式で着脱自在なラベルカセット１６に配置すると共に、プラテンローラ８はラベルカセット１６をセットした時、前面部１ｂ側のサーマルヘッド１１と対向するように配置されている。ラベル用紙３２は、帯状の台紙３２’にラベルＬが一定の間隔をおいて剥離可能に貼着され、ロール状に巻かれたものである。
【００１８】
ステッピングモータ１０の回転をプラテンローラ８及び台紙巻取り軸９に伝達する動力伝達機構１４は、モータの出力軸と支持台板１５上に回転可能に軸支した段付き歯車１７とに亘って巻回した駆動ベルト１８と、他方、ラベルカセット１６側にプラテンローラ８の軸８’と台紙巻取り軸９の支軸９’に歯車１９ａ、１９ｂを取り付け、更に台紙巻取り軸の支軸９’に固着した歯車１９ｂに段付き歯車１９ｃを噛合させ、更にその段付き歯車１９ｃより下方位置に所定間隔を置いて歯車１９ｄを取り付け、それら歯車１９ａと段付き歯車１９ｃ及び歯車１９ｄとに亘って巻回した両面歯付きのプラテン駆動ベルト２０とで構成されている。
即ち、ラベルカセット１６を支持台板１５上の所定位置にスライドしてセットした場合、段付き歯車１７の先端周面が、ラベルカセット１６側の段付き歯車１９ｃと歯車１９ｄとの間のプラテン駆動ベルト２０を押圧して該プラテン駆動ベルト２０と噛合し、それにより駆動ベルト１８の回転力が段付き歯車１７からプラテン駆動ベルト２０に伝達され、その結果、該ベルト２０の回動でプラテンローラ８と台紙巻取り軸９が駆動回転するように構成されている。
尚、支持台板１５上に設置するステッピングモータ１０の位置は、前面部１ｂの回動中心であるピン２の近くに配置し、前面部１ｂを回動してもステッピングモータ１０の位置がそれ程変わらず、全体の前後の重量バランスが変わらないようにする。
【００１９】
又、支持台板１５上には、スライドしてセットされるラベルカセット１６を所定位置に固定する固定機構２１が配置されている。
その固定機構２１は、図７に示すようにラベルカセット１６の裏側に取り付けた掛止軸２２が嵌入係合する掛止凹部２１ａを形成した回転盤２１ｂと、その回転盤２１ｂをロック位置に付勢する圧縮バネ２１ｃと、前記圧縮バネ２１ｃの圧縮力で回転盤２１ｂの掛止凹部２１ａをロック位置と開放位置に回動規制する切欠き部２１ｄ，２１ｅと、その切欠き部２１ｄ，２１ｅが当接する前記回転盤２１ｂを支持する枠２１ｆとで構成されている。
即ち、圧縮バネ２１ｃと回転盤２１ｂとの連結部が、該回転盤２１ｂの回転中心と前記圧縮バネ２１ｃの固定端とを結ぶ中心線Ｘに対して内・外に位置することで回転盤２１ｂに回転付勢力が作用し、切欠き部２１ｄ又は２１ｅが枠２１ｆに当接係合してロック状態、開放状態が維持される。尚、開放状態の維持は、取り外したラベルカセット１６を再びセットする時、掛止軸２２の移動線上に掛止凹部２１ａの開口部を位置させる。
【００２０】
前面部１ｂの外側に一体的に固着される表示操作部Ａ３は、平板状の筐体２３に液晶タッチパネル（タッチキー部）２４とテンキー（キー入力部）２５等が配置されて構成され、そうした表示操作部Ａ３の上部側が前面部１ｂの外側上部に傾動調節可能に軸支されている。
液晶タッチパネル（タッチキー部）２４は、画面をタッチすることで画面に表示された部分を選択することができる。
テンキー（キー入力部）２５は、品番キー，数字キー，クリアキー，リゼロキー，紙送りキーなどで構成されている。
【００２１】
図１１は上記した計量印字装置の電気ブロック図で、各ブロックを制御するＣＰＵ２７にバス２８を介してＲＯＭ２９、ＲＡＭ３０、計量部Ａ１、印字部Ａ２、客用表示部Ａ４、液晶タッチパネル（タッチキー部）２４、テンキー（キー入力部）２５、交信部３１が接続されて構成されている。
上記ＣＰＵ２７は、ＲＯＭ２９の制御プログラムに従って、ＲＡＭ３０のワークエリアを用いて処理を行うことにより装置各部を制御する。
上記ＲＯＭ２９には、ＣＰＵ２７が実行する、予め決められた制御プログラムが記憶されている。
上記ＲＡＭ３０は、複数の記憶領域を有し、各ファイルから読み出されたデータが一時的に格納される。
客用表示部Ａ４は、対面販売において顧客に購入商品の品名や値段を表示する他、計量部（秤）を使用しない時は、例えば「本日のおすすめ商品」などのコマーシャルメッセージをスクロールして顧客にアピールしてもよい。
交信部３１は、通信可能に接続された他の秤や、商品ファイルや実績データを管理する管理装置（コンピュータ）と交信する。
【００２２】
図１２は、前記した印字部Ａ２におけるステッピングモータ１０の回転をプラテンローラ８及び台紙巻取り軸９に伝達する動力伝達機構の他の例を示す図で、（ａ）はステッピングモータ１０で回転される段付き歯車１７に、ラベルカセット１６側に設けた歯車３２を噛み合わせ、その歯車３２の回転をベルト３３でプラテンロータ８に、歯車３４で台紙巻取り軸９に伝達する方法、（ｂ）はラベルカセット１６側の台紙巻取り軸９とプラテンローラ８の軸間を４個の歯車列３５で動力伝達可能に構成し、その歯車列３５の端の歯車をステッピングモータ１０で回転される段付き歯車１７に噛合させて伝達する方法である。
【００２３】
上記の如く構成した計量印字装置Ａは、計量皿７上に商品を載せることで、その商品の重量が計量され、対面販売では顧客が希望する購入重量になるまで商品を載せ、載置された商品の計量値が呼び出されたデータと共に、客用表示部Ａ４に表示される。顧客の求める重量に達したら、表示操作部Ａ３のラベルファンクションキーを操作する。それにより、商品単価、正味重量、販売価格等のデータが印字部Ａ２が作動してラベルＬに印字され、発行口２６から発行される。
そして、印字部Ａ２にセットしたラベル用紙３２を使いきり、新しいラベル用紙と交換する時は、図２の仮想線に示すように前面部１ｂをピン２を中心として回動すると、ケース１の前面部が平面略扇状に開放される。そして、その開放部より印字部Ａ２にスライド装着されたラベルカセット１６を図８の仮想線に示すように外方に直線的に引っ張ると、固定機構２１のロック状態が解除され（図７（ａ）、（ｂ）参照）、ラベルカセット１６は前記開放部を通して支持台板１５から分離され、ラベルカセット１６を引き出すことができる（図１０参照）。
又、新しいラベル用紙をセットしたラベルカセット１６を印字部Ａ２にセットする時は、前記と逆の動作、即ち、ラベルカセット１６を指示台板５に沿って直線的にスライドすると、動力伝達機構１４が合体すると同時にラベルカセット１６側の掛止軸２２が、支持台板１５上に配置した固定機構２１と嵌着係合し、カセットのセットが確立される。
【００２４】
本発明は上記した実施の形態に限定されるものではなく、発明の要旨を変えない範囲で変更可能である。
（１）図示の実施の形態では、前面部１ｂは左側が軸支され、右側が開閉するようになっているが、逆の開閉形態でもよい。
（２）前面部１ｂの開閉は、装置の横幅方向の一側部を回転中心としているが、装置の縦幅方向の一側部（上側縁又は下側縁）を回転中心として開閉するようにしてもよい。
（３）ケース内に収容配置するロードセルの数は、図示の四隅に配置した４個に限らず、左右一個づつでもよい。
（４）印字部は開閉部（扉）側に配置することに限らず、装置本体側に配置してもよい。また、印字部本体は装置本体側に、カセットを扉側に配置するものでもよい。
（５）前面部１ｂの開閉は回動式に限らず手前引出し式でもよい。
（６）カセット式ではなく、前面部１ｂを開放し、露出した印字部に直接ラベルをセットするようにしてもよい。
（７）ロードセルは、装置の四隅に置くようにしたがこれに限らず、一つのロードセルを装置中央付近に置き、装置略中央から前方の空間に印字部を設けるようにしてもよい。
【００２５】
【発明の効果】
本発明の計量印字装置は請求項１記載の構成により、表示操作部は印字部の大きさに依存せず、所望の大きさの表示操作部を設けることができる。また、装置の前面部を開放すると印字部が露出するので、印字部にセットされるラベル用紙の交換を、装置前面から容易に行うことができる。
そして、前面部の開放を請求項２記載の構成とした場合は、上記の効果の他に、表示操作部に連結されたケーブルやコードなどを必要以上に伸ばす必要がなく、ケーブルやコードに無理な張力が作用せず、損傷を防止できる。また、回動することにより印字部が露出するので、装置手前に引き出す引き出しタイプに比べて、ラベル用紙の交換に要する装置前部のスペースは少なくてよいという利点を有する。
又、請求項３記載の構成により、上記の効果に加えて、前面部の開放により表示操作部と印字部が一体となって開放されるため、ラベル用紙の交換を更に容易に行うことができる。
【００２６】
更に、請求項４記載の構成により、請求項１から３記載の効果の他に、ラベル用紙のセットを容易に行なうことができる。即ち、予め、別のカセットに予備のラベル用紙を充填し用意することで、ラベル用紙の交換を、カセットの交換により瞬時に行うことが可能となる。
また、請求項５記載の構成により、装置内の空間を有効に活用することができる為、装置を小型化することができる。
更にまた、請求項６記載の構成により、前面部は一側を回動中心として回動することで、反対側に回動角度に伴う開口部が現出され、前面部を装置手前に引き出すタイプと比べ、ラベル用紙の交換に要する装置前部のスペースが少なくて済むという利点が得られる。
また、請求項７記載の構成により、表示操作部を開放する操作によって印字部を装置手前側に露出でき、ラベル用紙の交換操作を容易に行うことができる。
【図面の簡単な説明】
【図１】本発明に係る計量印字装置の実施の一例を示す斜視図である。
【図２】同装置の一部切欠平面図である。
【図３】印字部における動力伝達構造を示す平面図である。
【図４】ラベルカセットの裏側を示す概略図である。
【図５】印字部におけるラベル用紙の繰り出しを示す概略図である。
【図６】前面部に取り付けた支持台板上におけるモータ、固定機構の配置関係を示す平面図である。
【図７】（ａ）は固定機構のロック状態、（ｂ）は固定機構の開放状態を示す説明図である。
【図８】前面部を回動して印字部を開放した状態の平面図である。
【図９】ラベルカセットを支持台板から分離した時の、動力伝達機構の相対関係を示す説明図である。
【図１０】ラベルカセットを支持台板から分離した状態の平面図である。
【図１１】構成部材の電気ブロック図である。
【図１２】動力伝達機構の他の例を示す説明図である。
【符号の説明】
Ａ…計量印字装置              Ａ１…計量部
Ａ２…印字部                    Ａ３…表示操作部
Ａ４…客用表示部                  ４…ロードセル
７…計量皿                      ８…プラテンローラ
９…台紙巻取り軸              １０…ステッピングモータ
１１…サーマルヘッド            １２…ディスペンサー
１３…セット軸
【図１】
2004255816.tif 000003
【図２】
2004255816.tif 000004
【図３】
2004255816.tif 000005
【図４】
2004255816.tif 000006
【図５】
2004255816.tif 000007
【図６】
2004255816.tif 000008
【図７】
2004255816.tif 000009
【図８】
2004255816.tif 000010
【図９】
2004255816.tif 000011
【図１０】
2004255816.tif 000012
【図１１】
2004255816.tif 000013
【図１２】
2004255816.tif 000014